(57)【要約】      （修正有）【課題】外部に露出されたリアフレームの領域の温度上昇を抑えることができる表示装置を提供する。【解決手段】画像を表示するための表示装置２であって、画像を表示する液晶パネルと、該液晶パネルの背面に向けて光を照射するバックライト８と、バックライト８をビス４０を介して支持するリアフレーム１２と、リアフレーム１２のバックライト８が配置された面と相違する面の一部を覆うリアカバーと、を備え、バックライト８は、該リアカバーにより覆われたリアフレーム１２の内郭領域外まで延びており、ビス４０は、リアカバーにより覆われたリアフレーム１２の該内郭領域にのみ配置されている。【選択図】図４
2014126706.tif 000002
【特許請求の範囲】
【請求項１】
画像を表示するための表示装置であって、
前記画像を表示する表示パネルと、
前記表示パネルの背面に向けて光を照射するバックライトと、
前記バックライトを接続部を介して支持するリアフレームと、
前記リアフレームの前記バックライトが配置された面と相違する面の一部を覆うリアカバーと、を備え、
前記バックライトは、前記リアカバーにより覆われた前記リアフレームの領域外まで延びており、
前記接続部は、前記リアカバーにより覆われた前記リアフレームの前記領域にのみ配置されている
表示装置。
【請求項２】
前記リアフレームの前記領域外では、前記バックライトと前記リアフレームとの間に空間が形成されている
請求項１に記載の表示装置。
【請求項３】
前記リアフレームの前記領域外における前記リアフレームの内面は、前記リアフレームの前記領域における前記リアフレームの内面に対して前記バックライトとは反対側に位置している
請求項２に記載の表示装置。
【請求項４】
前記リアフレームの前記領域外では、前記バックライトと前記リアフレームとの間に断熱シートが介在されている
請求項２又は３に記載の表示装置。
【請求項５】
前記バックライトは、
前記リアフレームに熱伝導可能に支持されたヒートシンクと、
前記ヒートシンクに取り付けられた配線基板と、
前記配線基板に実装された発光素子と、を有し、
前記リアフレームの前記領域外における前記ヒートシンクの短手方向における大きさは、前記リアフレームの前記領域における前記ヒートシンクの短手方向における大きさよりも大きい
請求項２〜４のいずれか１項に記載の表示装置。
【請求項６】
前記リアフレームには、前記接続部の周囲のうち前記リアフレームの前記領域外側に位置されたスリットが設けられている
請求項１〜５のいずれか１項に記載の表示装置。
【請求項７】
前記スリットは、前記接続部の周囲のうち前記リアフレームの前記領域外側を包囲するようにして、円弧状に延びている
請求項６に記載の表示装置。
【請求項８】
前記スリットには、前記表示パネル側又は前記表示パネルとは反対側に切り起こされた切り起こし部が形成されている
請求項６又は７に記載の表示装置。
【請求項９】
前記バックライトは複数設けられ、
前記複数のバックライトは、互いに略平行に配置されており、
前記複数のバックライトの各々に対応して設けられた前記接続部は、千鳥状に配置されている
請求項１〜８のいずれか１項に記載の表示装置。
【発明の詳細な説明】
【技術分野】
【０００１】
本発明は、画像を表示するための表示装置に関する。
【背景技術】
【０００２】
従来より、例えば液晶テレビジョン受像機等のように、表示パネルの背面に向けて光を照射する直下型方式のバックライトを備えた表示装置が用いられている（例えば、特許文献１参照）。この表示装置の筐体は、表示パネル側に設けられた樹脂製のフロントキャビネットと、バックライト側に設けられた樹脂製のリアキャビネットとで構成されている。さらに、フロントキャビネットとリアキャビネットとの間には、バックライトを熱伝導可能に支持するためのリアフレームが設けられている。バックライトは、ヒートシンクと、ヒートシンクに取り付けられた配線基板と、配線基板に実装された複数のＬＥＤ（Ｌｉｇｈｔ  Ｅｍｉｔｔｉｎｇ  Ｄｉｏｄｅ）と、を有している。ヒートシンクは、複数のビスによりリアフレームに締結されている。
【０００３】
リアフレーム、ヒートシンク及び配線基板はそれぞれ、熱伝導性の高い金属（例えば、アルミニウム等）で形成されている。複数のＬＥＤの各々が発光することにより、複数のＬＥＤの各々からの熱が配線基板を介してヒートシンクに伝達されるとともに、ヒートシンクからの熱がリアフレームに伝達される。これにより、複数のＬＥＤの各々からの熱は、ヒートシンク及びリアフレームによって放熱される。
【先行技術文献】
【特許文献】
【０００４】
【特許文献１】特開２００７−３１１５６１号公報
【発明の概要】
【発明が解決しようとする課題】
【０００５】
近年、省スペースの観点から、表示装置をより一層薄型化することが要望されている。そのための方法として、例えば、上述したリアキャビネットを省略し、リアフレームの一部を表示装置の外部に露出させる方法が考えられる。
【０００６】
しかしながら、上述したように、複数のＬＥＤの各々からの熱がリアフレームに伝達されることにより、リアフレームの温度が比較的高温になる。ユーザがリアフレームに触れた場合の安全性を確保するため、表示装置の外部に露出されたリアフレームの領域の温度上昇を抑えることが課題となっている。
【０００７】
本発明は、上述した課題を解決しようとするものであり、その目的は、外部に露出されたリアフレームの領域の温度上昇を抑えることができる表示装置を提供することである。
【課題を解決するための手段】
【０００８】
上記目的を達成するために、本発明の一態様に係る表示装置は、画像を表示するための表示装置であって、前記画像を表示する表示パネルと、前記表示パネルの背面に向けて光を照射するバックライトと、前記バックライトを接続部を介して支持するリアフレームと、前記リアフレームの前記バックライトが配置された面と相違する面の一部を覆うリアカバーと、を備え、前記バックライトは、前記リアカバーにより覆われた前記リアフレームの領域外まで延びており、前記接続部は、前記リアカバーにより覆われた前記リアフレームの前記領域にのみ配置されている。
【０００９】
バックライトからの熱の一部は、接続部を介してリアフレームに伝達されるため、接続部におけるリアフレームの温度が比較的高温になる。本態様によれば、比較的高温となる接続部がリアフレームにより覆われたリアフレームの領域にのみ配置されているので、表示装置の外部に露出されたリアフレームの領域の温度上昇を抑えることができる。
【００１０】
例えば、本発明の一態様に係る表示装置において、前記リアフレームの前記領域外では、前記バックライトと前記リアフレームとの間に空間が形成されているように構成してもよい。
【００１１】
本態様によれば、バックライトとリアフレームとの間に空間が形成されているので、バックライトからリアカバーにより覆われたリアフレームの領域外への熱伝達を遮断することができる。これにより、表示装置の外部に露出されたリアフレームの領域の温度上昇をより効果的に抑えることができる。
【００１２】
例えば、本発明の一態様に係る表示装置において、前記リアフレームの前記領域外における前記リアフレームの内面は、前記リアフレームの前記領域における前記リアフレームの内面に対して前記バックライトとは反対側に位置しているように構成してもよい。
【００１３】
本態様によれば、リアカバーにより覆われたリアフレームの領域外におけるリアフレームの内面は、当該領域におけるリアフレームの内面に対してバックライトとは反対側に位置している。このような比較的簡単な構成によって、バックライトとリアフレームとの間に空間を形成することができる。
【００１４】
例えば、本発明の一態様に係る表示装置において、前記リアフレームの前記領域外では、前記バックライトと前記リアフレームとの間に断熱シートが介在されているように構成してもよい。
【００１５】
本態様によれば、バックライトとリアフレームとの間に断熱シートが介在されているので、バックライトからリアカバーにより覆われたリアフレームの領域外への熱伝達をより効果的に遮断することができる。
【００１６】
例えば、本発明の一態様に係る表示装置において、前記バックライトは、前記リアフレームに熱伝導可能に支持されたヒートシンクと、前記ヒートシンクに取り付けられた配線基板と、前記配線基板に実装された発光素子と、を有し、前記リアフレームの前記領域外における前記ヒートシンクの短手方向における大きさは、前記リアフレームの前記領域における前記ヒートシンクの短手方向における大きさよりも大きいように構成してもよい。
【００１７】
本態様によれば、リアカバーにより覆われたリアフレームの領域外におけるヒートシンクの短手方向における大きさを比較的大きくすることにより、当該領域外におけるヒートシンクの放熱性を高めることができる。
【００１８】
例えば、本発明の一態様に係る表示装置において、前記リアフレームには、前記接続部の周囲のうち前記リアフレームの前記領域外側に位置されたスリットが設けられているように構成してもよい。
【００１９】
本態様によれば、リアフレームには、接続部の周囲のうちリアカバーにより覆われたリアフレームの領域外側に位置されたスリットが設けられているので、接続部から当該領域外への熱伝達効率が比較的低くなる。これにより、リアフレームの当該領域外の温度上昇をより効果的に抑えることができる。
【００２０】
例えば、本発明の一態様に係る表示装置において、前記スリットは、前記接続部の周囲のうち前記リアフレームの前記領域外側を包囲するようにして、円弧状に延びているように構成してもよい。
【００２１】
本態様によれば、スリットは、接続部の周囲のうちリアカバーにより覆われたリアフレームの領域外側を包囲するようにして、円弧状に延びているので、接続部からリアフレームの当該領域外への熱伝達効率をより効果的に低下させることができる。
【００２２】
例えば、本発明の一態様に係る表示装置において、前記スリットには、前記表示パネル側又は前記表示パネルとは反対側に切り起こされた切り起こし部が形成されているように構成してもよい。
【００２３】
本態様によれば、スリットには、表示パネル側又は表示パネルとは反対側に切り起こされた切り起こし部が形成されているので、スリットにおけるリアフレームの強度を高めることができる。
【００２４】
例えば、本発明の一態様に係る表示装置において、前記バックライトは複数設けられ、前記複数のバックライトは、互いに略平行に配置されており、前記複数のバックライトの各々に対応して設けられた前記接続部は、千鳥状に配置されているように構成してもよい。
【００２５】
本態様によれば、複数の接続部は千鳥状に配置されているので、リアカバーにより覆われたリアフレームの領域における温度分布をほぼ均一にすることができる。
【発明の効果】
【００２６】
本発明によれば、表示装置の外部に露出されたリアフレームの領域の温度上昇を抑えることができる。
【図面の簡単な説明】
【００２７】
【図１】本発明の実施の形態１に係る表示装置の正面側を示す斜視図である。
【図２】図１の表示装置の背面側を示す斜視図である。
【図３】図１の表示装置の背面側を示す平面図である。
【図４】図１の表示装置の内部を示す平面図である。
【図５】図４中のＡ−Ａ線により切断した表示装置の要部断面図である。
【図６】バックライトを分解した状態を示す要部斜視図である。
【図７】スリット及びその周辺部を拡大して示す平面図である。
【図８】スリットの変形例を示す要部斜視図である。
【図９】本発明の実施の形態２に係る表示装置の内部を示す平面図である。
【図１０】図９中のＢ−Ｂ線により切断した表示装置の要部断面図である。
【発明を実施するための形態】
【００２８】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２９】
（実施の形態１）
［表示装置の構成］
まず、図１〜図７を参照しながら、本発明の実施の形態１に係る表示装置の構成について説明する。図１は、本発明の実施の形態１に係る表示装置の正面側を示す斜視図である。図２は、図１の表示装置の背面側を示す斜視図である。図３は、図１の表示装置の背面側を示す平面図である。図４は、図１の表示装置の内部を示す平面図である。図５は、図４中のＡ−Ａ線により切断した表示装置の要部断面図である。図６は、バックライトを分解した状態を示す要部斜視図である。図７は、スリット及びその周辺部を拡大して示す平面図である。
【００３０】
図示の表示装置２は、筐体４と、筐体４の内部に設けられた液晶パネル６（表示パネルを構成する）及び複数のバックライト８と、を備えている。本実施の形態の表示装置２は、直下型方式のバックライト８を備える液晶テレビジョン受像機である。
【００３１】
筐体４は、フロントキャビネット１０及びリアフレーム１２が相互に組み合わされることにより構成されている。
【００３２】
フロントキャビネット１０は、液晶パネル６の正面側に配置されている。フロントキャビネット１０は額縁状に構成され、液晶パネル６の外周部を覆っている。なお、フロントキャビネット１０は、例えば樹脂等で形成されている。
【００３３】
液晶パネル６は、セルガイド（図示せず）を介して拡散板等（図示せず）とともにフロントキャビネット１０に支持されている。液晶パネル６の背面に複数のバックライト８（後述する）からの光が照射されることにより、液晶パネル６に画像が表示される。
【００３４】
リアフレーム１２は、液晶パネル６の背面側に配置されている。リアフレーム１２は、液晶パネル６とは反対側にやや膨らんだ形状を有し、液晶パネル６の背面全体を覆っている。リアフレーム１２の外面（すなわち、複数のバックライト８が配置された面とは相違する面）における中央部には、液晶パネル６及び複数のバックライト８等に対して電力を供給するための電源基板等（図示せず）が取り付けられている。なお、リアフレーム１２は、熱伝導性の高い金属、例えばアルミニウム等で形成されている。
【００３５】
リアフレーム１２には、リアカバー１６（後述する）をリアフレーム１２に対して位置決めするための凸部１４が設けられている。この凸部１４は、図３及び図５に示すように、リアカバー１６の外周部に沿って延び、且つ、液晶パネル６とは反対側にやや突出している。
【００３６】
リアフレーム１２の外面には、リアカバー１６が取り付けられている。上述した電源基板等は、このリアカバー１６によって覆われている。リアカバー１６の外周部が凸部１４の内周部に接触することにより、リアカバー１６がリアフレーム１２に対して位置決めされる。リアカバー１６の下端部には、筐体４を下方より支持するためのスタンド１８が取り付けられている。なお、リアカバー１６は、例えば樹脂等で形成されている。
【００３７】
図３及び図４に示すように、リアフレーム１２の領域のうち、リアカバー１６により覆われていない領域を外郭領域２０、リアカバー１６により覆われた領域を内郭領域２２という。すなわち、外郭領域２０は、内郭領域２２外に配置されている。図５に示すように、外郭領域２０におけるリアフレーム１２の内面Ｓ１は、内郭領域２２におけるリアフレーム１２の内面Ｓ２に対して複数のバックライト８とは反対側に位置している。換言すると、外郭領域２０におけるリアフレーム１２の内面Ｓ１は、内郭領域２２におけるリアフレーム１２の内面Ｓ２に対して所定の距離Ｄ（例えば、数ｍｍ程度）だけ複数のバックライト８とは反対側に後退している。
【００３８】
また、リアフレーム１２の内面（すなわち、複数のバックライト８が配置された面）には、ヒートシンク３０（後述する）をリアフレーム１２に対して位置決めするための突起２４が複数設けられている。複数の突起２４の各々は、図５に示すように、液晶パネル６側にやや突出している。
【００３９】
さらに、リアフレーム１２には、ビス４０（後述する）をビス止めするためのビス孔２６が複数設けられている。リアフレーム１２には、図６及び図７に示すように、複数のビス４０の各々に対応して、スリット２８が複数設けられている。複数のスリット２８の各々は、ビス４０の周囲のうち外郭領域２０側を包囲するようにして、円弧状に延びている。このスリット２８の機能については後述する。
【００４０】
複数のバックライト８は、図４に示すように、リアフレーム１２の内面に熱伝導可能に（すなわち、複数のバックライト８の各々からの熱がリアフレーム１２へ伝導可能に）支持されている。複数のバックライト８の各々は、上述した電源基板からの電力が供給されることにより、液晶パネル６の背面に向けて光を照射する。複数のバックライト８の各々は、内郭領域２２を横切って直線状に延びており、その両端部はそれぞれ外郭領域２０まで延びている。複数のバックライト８は、互いに略平行に配置されている。
【００４１】
複数のバックライト８の各々は、図６に示すように、ヒートシンク３０と、ヒートシンク３０に取り付けられたＬＥＤバー３２と、を有している。ヒートシンク３０は、長尺状の板状に構成されている。ＬＥＤバー３２は、配線基板３４と、配線基板３４に実装された複数のＬＥＤ３６（発光素子を構成する）と、を有している。配線基板３４は、長尺状の板状に構成されている。複数のＬＥＤ３６は、配線基板３４の長手方向に沿って一列に且つ間隔を置いて配置されている。配線基板３４は、熱伝導性を有する両面テープ３８によりヒートシンク３０に取り付けられている。ヒートシンク３０及び配線基板３４はそれぞれ、熱伝導性の高い金属、例えばアルミニウム等で形成されている。
【００４２】
ヒートシンク３０は、複数のビス４０（接続部を構成する）によりリアフレーム１２に締結されている。本実施の形態の表示装置２の特徴として、図４に示すように、複数のビス４０は、内郭領域２２にのみ配置されている。すなわち、複数のビス４０は、外郭領域２０には配置されていない。複数のビス４０の各々は、例えばＳＵＳ等の金属で形成されている。
【００４３】
また、ヒートシンク３０には、上述した複数の突起２４に対応して、複数の貫通孔４２が設けられている。図５に示すように、この貫通孔４２に突起２４が挿入されることにより、ヒートシンク３０がリアフレーム１２に対して位置決めされる。
【００４４】
さらに、本実施の形態の表示装置２の他の特徴として、図５に示すように、複数のバックライト８の各々のヒートシンク３０は、リアフレーム１２の内郭領域２２に接触しているが、リアフレーム１２の外郭領域２０には接触していない。これにより、ヒートシンク３０の両端部とリアフレーム１２の外郭領域２０との間には、ヒートシンク３０からリアフレーム１２への熱の伝達を遮断するための空間４４が形成される。このような空間４４が形成される理由としては、上述したように、外郭領域２０におけるリアフレーム１２の内面Ｓ１が内郭領域２２におけるリアフレーム１２の内面Ｓ２に対して複数のバックライト８とは反対側に位置しているためである。
【００４５】
［効果］
次に、本実施の形態の表示装置２により得られる効果について説明する。複数のＬＥＤ３６の各々が発光することにより、複数のＬＥＤ３６の各々からの熱が配線基板３４及び両面テープ３８を介してヒートシンク３０に伝達されるとともに、ヒートシンク３０からの熱がリアフレーム１２に伝達される。これにより、複数のＬＥＤ３６の各々からの熱は、ヒートシンク３０及びリアフレーム１２によって放熱される。
【００４６】
一般に、ヒートシンク３０からの熱の一部は、複数のビス４０を介してリアフレーム１２に伝達されるため、ビス４０による締結箇所におけるリアフレーム１２の温度が比較的高温になる。本実施の形態の表示装置２では、比較的高温となるビス４０による締結箇所を内郭領域２２にのみ配置することにより、表示装置２の外部に露出された外郭領域２０におけるリアフレーム１２の温度上昇を抑えることができる。
【００４７】
さらに、上述した空間４４によって、ヒートシンク３０の両端部からリアフレーム１２の外郭領域２０への熱の伝達が遮断される。これにより、表示装置２の外部に露出された外郭領域２０におけるリアフレーム１２の温度上昇をより効果的に抑えることができる。
【００４８】
さらに、リアフレーム１２には、上述したスリット２８が設けられている。リアフレーム１２にスリット２８が設けられていない場合には、図７における一点鎖線の矢印で示すように、ビス４０による締結箇所からの熱は、外郭領域２０に向けて最短経路で伝達される。そのため、ビス４０による締結箇所から外郭領域２０への熱伝達効率が比較的高くなり、外郭領域２０におけるリアフレーム１２の温度が比較的高温になりやすい。一方、リアフレーム１２に上述したスリット２８が設けられている場合には、図７における実線の矢印で示すように、ビス４０による締結箇所からの熱は、スリット２８を迂回する経路で外郭領域２０に向けて伝達される。そのため、ビス４０による締結箇所から外郭領域２０への熱伝達効率が比較的低くなり、外郭領域２０におけるリアフレーム１２の温度上昇をより効果的に抑えることができる。
【００４９】
また、外郭領域２０には複数のビス４０が配置されていないので、表示装置２の外部から複数のビス４０の各々の先端が見えることがなく、デザイン性を高めることができる。
【００５０】
［変形例］
ここで、図８を参照しながら、スリットの変形例について説明する。図８は、スリットの変形例を示す要部斜視図である。本実施の形態では、スリット２８は円弧状に延びているが、図８に示すように、スリット２８Ａは、直線状に延びていてもよい。スリット２８Ａは、ビス４０の周囲のうち外郭領域２０側に位置される。
【００５１】
スリット２８Ａには、液晶パネル６側（又は液晶パネル６とは反対側）に切り起こされた切り起こし部２８Ａａが形成されている。このように切り起こし部２８Ａａを形成することにより、スリット２８Ａにおけるリアフレーム１２Ａの強度を高めることができる。なお、切り起こし部２８Ａａは省略することもできる。
【００５２】
（実施の形態２）
次に、図９及び図１０を参照しながら、本発明の実施の形態２に係る表示装置の構成について説明する。図９は、本発明の実施の形態２に係る表示装置の内部を示す平面図である。図１０は、図９中のＢ−Ｂ線により切断した表示装置の要部断面図である。
【００５３】
図１０に示すように、本実施の形態の表示装置２Ｂでは、ヒートシンク３０Ｂの両端部とリアフレーム１２Ｂの外郭領域２０との間には、断熱シート４６が介在されている。この断熱シート４６によって、ヒートシンク３０Ｂの両端部からリアフレーム１２Ｂの外郭領域２０への熱の伝達が遮断される。これにより、表示装置２Ｂの外部に露出された外郭領域２０におけるリアフレーム１２Ｂの温度上昇をより効果的に抑えることができる。
【００５４】
さらに、図９に示すように、本実施の形態のバックライト８Ｂでは、外郭領域２０におけるヒートシンク３０Ｂの短手方向における大きさＷ１は、内郭領域２２におけるヒートシンク３０Ｂの短手方向における大きさＷ２よりも大きい。上述したように、外郭領域２０ではヒートシンク３０Ｂからリアフレーム１２Ｂへの熱の伝達が遮断されるが、外郭領域２０におけるヒートシンク３０Ｂの表面積を大きくすることにより、ヒートシンク３０Ｂに伝達された熱を効率良く放熱させることができる。
【００５５】
さらに、図９に示すように、本実施の形態のバックライト８Ｂでは、複数のビス４０は、千鳥状に配置されている。上述したように、ビス４０による締結箇所におけるリアフレーム１２Ｂの温度は比較的高温となるが、複数のビス４０を千鳥状に配置することにより、内郭領域２２における温度分布をほぼ均一にすることができる。
【００５６】
以上、本発明の実施の形態１及び２に係る表示装置について説明したが、本発明は、これらの実施の形態に限定されるものではない。例えば、上記各実施の形態をそれぞれ組み合わせるとしてもよい。
【００５７】
上記各実施の形態では、表示装置が液晶テレビジョン受像機である場合について説明したが、表示装置は、液晶テレビジョン受信機以外に、例えばパーソナルコンピュータ用の液晶モニタ等でもよい。
【００５８】
上記各実施の形態では、バックライトを複数設けたが、バックライトを１個のみ設けることもできる。
【００５９】
上記各実施の形態では、接続部はビスであるが、接続部は、例えば熱伝導性を有する両面テープ、フック及び固定用爪等でもよい。例えば、接続部がヒートシンクに設けられたフックである場合には、このフックは、リアフレームに設けられた支持用孔に引っ掛けられる。また、接続部がリアフレームに設けられた固定用爪である場合には、この固定用爪は、ヒートシンクに設けられた支持用孔に挿入された後に、所定方向に折り曲げられる。
【００６０】
上記各実施の形態では、バックライトはヒートシンクを有しているが、このヒートシンクを省略することもできる。この場合には、配線基板が接続部を介してリアフレームに熱伝達可能に支持される。
【００６１】
上記各実施の形態では、外郭領域におけるリアフレームの内面全体が内郭領域におけるリアフレームの内面に対して液晶パネルとは反対側に位置しているが、外郭領域におけるリアフレームの内面全体のうち、少なくともバックライトに対応する部位のみが内郭領域におけるリアフレームの内面に対して液晶パネルとは反対側に位置していてもよい。
【００６２】
上記各実施の形態では、外郭領域におけるリアフレームの内面が内郭領域におけるリアフレームの内面に対して液晶パネルとは反対側に位置しているが、外郭領域におけるリアフレームの内面と内郭領域におけるリアフレームの内面とを同一平面上に位置させるとともに、外郭領域におけるバックライトを液晶パネル側に屈曲等させるようにしてもよい。これにより、バックライトとリアフレームの外郭領域との間に空間を形成することができる。
【００６３】
あるいは、外郭領域におけるリアフレームの内面と内郭領域におけるリアフレームの内面とを同一平面上に位置させるとともに、バックライトを金属製のスペーサを介してリアフレームの内郭領域に支持させるようにしてもよい。このような構成であっても、バックライトとリアフレームの外郭領域との間に空間を形成することができる。
【００６４】
上記各実施の形態では、スリットは円弧状又は直線状に延びているが、スリットの形状はこれらに限定されず、適宜の形状に設定することができる。
【００６５】
上記各実施の形態では、配線基板は両面テープによりヒートシンクに取り付けられているが、配線基板は、例えばビス等によりヒートシンクに取り付けられてもよい。
【００６６】
上記各実施の形態では、バックライトの光源としてＬＥＤを用いたが、例えば冷陰極管（Ｃｏｌｄ  Ｃａｔｈｏｄｅ  Ｆｌｕｏｒｅｓｃｅｎｔ  Ｌａｍｐ：ＣＣＦＬ）等を用いることもできる。
【産業上の利用可能性】
【００６７】
本発明の表示装置は、例えば、液晶テレビジョン受像機及びパーソナルコンピュータ用の液晶モニタ等として適用することができる。
【符号の説明】
【００６８】
２，２Ｂ  表示装置
４  筐体
６  液晶パネル
８，８Ｂ  バックライト
１０  フロントキャビネット
１２，１２Ａ，１２Ｂ  リアフレーム
１４  凸部
１６  リアカバー
１８  スタンド
２０  外郭領域
２２  内郭領域
２４  突起
２６  ビス孔
２８，２８Ａ  スリット
２８Ａａ  切り起こし部
３０，３０Ｂ  ヒートシンク
３２  ＬＥＤバー
３４  配線基板
３６  ＬＥＤ
３８  両面テープ
４０  ビス
４２  貫通孔
４４  空間
４６  断熱テープ
【図１】
2014126706.tif 000003
【図２】
2014126706.tif 000004
【図３】
2014126706.tif 000005
【図４】
2014126706.tif 000006
【図５】
2014126706.tif 000007
【図６】
2014126706.tif 000008
【図７】
2014126706.tif 000009
【図８】
2014126706.tif 000010
【図９】
2014126706.tif 000011
【図１０】
2014126706.tif 000012